(57)【要約】      （修正有）【課題】誰でも簡単にペンダントなどの装飾具を交換したり吊り下げられるネックレスを提供する。【解決手段】両端部を接合して環状に形成するネックレス１の端部を挿脱可能に接合係止具６に接続し、上記ネックレス１の端部を接合係止具６から取り外して装飾具５の吊り下げ部１７を挿通して装飾具５を吊り下げるように形成している。ペンダント等の装飾具５を挿着するときは、ネックレス１の端部を接合係止具６から取り外し、ネックレス１にペンダント等の装飾具５の吊り下げ部１７を挿入し、再びその端部を接合係止具６に挿着して装飾することができる。【選択図】図１
0003178524.tif 000002
【実用新案登録請求の範囲】
【請求項１】
両端部を接合して環状に形成するネックレスの端部を挿脱可能に接合係止具に接続し、上記ネックレスの端部を接合係止具から取り外して装飾具の吊り下げ部を挿通して装飾具を吊り下げるように形成したことを特徴とするチェーン状等のネックレス。
【請求項２】
接合係止具を開閉可能な一対の接合体で形成し、その開閉面にネックレスの端部を挿脱可能に係止するために係止溝を設けた請求項１に記載のチェーン状等のネックレス。
【請求項３】
ネックレスの端部に所要の大きさの抜け止め材を取り付け、接合係止具の開閉面に設けた係止溝に連通して接合係止具の一面の接合体に係止溝より大きな口径の貫通孔を抜け止め材を挿通する可能に開孔し、ネックレスの端部の抜け止め材を係止溝に係止するように形成した請求項１または２に記載のチェーン状等のネックレス。
【請求項４】
接合係止具の開閉面に開閉する接合体がずれることなく接合する位置ずれ防止部を設けた請求項１ないし３のいずれかに記載のチェーン状等のネックレス。
【請求項５】
ネックレスの一端部を挿脱可能に接合係止具に接続し、このネックレスの他端部をその接合係止具の他端部に直接に接続した請求項１ないし４のいずれかに記載のチェーン状等のネックレス。
【考案の詳細な説明】
【技術分野】
【０００１】
本考案は、装身分野におけるチェーン状等のネックレスに関するものである。
【背景技術】
【０００２】
従来、装身具として、ペンダント等の装飾具を吊り下げるネックレスが知られている。これらは、一般にチェーンやリンク材を連結し、これらの環状のネックレスに宝飾等の装飾具を吊り下げるものが知られている。
【０００３】
たとえば、特開２００７−１９５６３７号公報や特開２００９−２３３３４１号公報のようにネックレスにペンダントをチェーンやリンク材に挿通して吊り下げて装身することが提案されている。
【先行技術文献】
【特許文献】
【０００４】
【特許文献１】特開２００７−１９５６３７号公報
【特許文献２】特開２００９−２３３３４１号公報
【考案の開示】
【考案が解決しようとする課題】
【０００５】
しかし、これらの装身具では、環状のネックレスの両端部に連結係止具や留め金具を一体的に装着し、これらを係脱自在に設けて、ペンダントなどの装飾具を吊り下げるようにしている。
【課題を解決するための手段】
【０００６】
しかし、ネックレスのペンダントを交換したくなることがあり、従来ではネックレスの端部に連結係止具や留め金具が一体的に接続され、かつ大きくて、所要のペンダントの吊り下げ部を挿入して吊り下げられなく、専門店でリフォームしてもらわざるを得ないことがあった。そのため、誰でも簡単にペンダントなどの装飾具を吊り下げられるネックレスを開発することが課題であった。
【０００７】
本考案は、上記のような点に鑑みたもので、上記の課題を解決するために、両端部を接合して環状に形成するネックレスの端部を挿脱可能に接合係止具に接続し、上記ネックレスの端部を接合係止具から取り外して装飾具の吊り下げ部を挿通して装飾具を吊り下げるように形成したことを特徴とするチェーン状等のネックレスを提供するものである。
【０００８】
また、接合係止具を開閉可能な一対の接合体で形成し、その開閉面にネックレスの端部を挿脱可能に係止するために係止溝を設けたことを特徴とするチェーン状等のネックレスを提供するものである。
【０００９】
さらに、ネックレスの端部に所要の大きさの抜け止め材を取り付け、接合係止具の開閉面に設けた係止溝に連通して接合係止具の一面の接合体に係止溝より大きな口径の貫通孔を抜け止め材を挿通する可能に開孔し、ネックレスの端部の抜け止め材を係止溝に係止するように形成したことを特徴とするチェーン状等のネックレスを提供するものである。
【００１０】
さらにまた、接合係止具の開閉面に開閉する接合体がずれることなく接合する位置ずれ防止部を設けたことを特徴とするチェーン状等のネックレスを提供するものである。
【００１１】
またさらに、ネックレスの一端部を挿脱可能に接合係止具に接続し、このネックレスの他端部をその接合係止具の他端部に直接に接続したことを特徴とするチェーン状等のネックレスを提供するものである。
【考案の効果】
【００１２】
本考案のチェーン状等のネックレスは、実用新案登録請求の範囲の請求項１のように、両端部を接合して環状に形成するネックレスの端部を挿脱可能に接合係止具に接続し、上記ネックレスの端部を接合係止具から取り外して装飾具の吊り下げ部を挿通して装飾具を吊り下げるように形成したことによって、ペンダント等の装飾具を挿着するときは、ネックレスの端部を接合係止具から取り外し、その端部からペンダント等の装飾具の吊り下げ部を挿通し、再びその端部を接合係止具に挿着して装飾することができる。そのため、専門店に依頼することなく、誰でも自分で簡単に交換して所要のペンダント等の装飾具を挿通して身飾することができる。
【００１３】
また、上記請求項２のように、接合係止具を開閉可能な一対の接合体で形成し、その開閉面にネックレスの端部を挿脱可能に係止するために係止溝を設けたことによって、上記接合係止具を開いてその開閉面の係止溝からネックレスの端部を取り外し、その端部から所要のペンダント等の装飾具を挿通して、再びその端部を接合係止溝に挿通して接合係止具を閉じることで、専用等の道具を必要とせずに、専門店に依頼することなく、誰でも自分で簡単に所要のペンダント等の装飾具を挿着して身飾することができる。
【００１４】
また、上記請求項３のように、ネックレスの端部に所要の大きさの抜け止め材を取り付け、接合係止具の開閉面に設けた係止溝に連通して接合係止具の一面の接合体に係止溝より大きな口径の貫通孔を抜け止め材を挿通する可能に開孔し、ネックレスの端部の抜け止め材を係止溝に係止するように形成したことによって、ネックレスの端部を接合係止具の開いた開閉面の係止溝に連通した貫通孔に挿通し、接合係止具を閉じ、その端部を引っ張ると、抜け止め材が係止溝部に係止してネックレスの端部を接合係止具に簡単に接続できる。
【００１５】
さらに、上記請求項４のように、接合係止具の開閉面に開閉する接合体がずれることなく接合する位置ずれ防止部を設けたことによって、接合係止具を開閉しても、閉じたときには位置ずれ防止部で接合係止具の接合体を一直線状に元通りに接合できて、奇麗に装飾できる。
【００１６】
またさらに、上記請求項５のように、ネックレスの一端部を挿脱可能に接合係止具に接続し、このネックレスの他端部をその接合係止具の他端部に直接に接続したことによって、リング状の留め金具を必要とすることなく、ネックレスを上記のように一端部の接合係止具を開閉して所要のペンダント等の装飾具を挿通して身飾することができ、また所要の装飾具にも簡単に交換して身飾することができる。
【図面の簡単な説明】
【００１７】
【図１】本考案の一実施例の概要正面図、
【図２】同上の接合係止具の拡大平面図（ａ）、側断面図（ｂ）、上面を開いた状態の平面図（ｃ）、
【図３】同上の接合係止具を開いてネックレスの端部を挿入した状態の拡大平面図（ａ）、閉じた状態の拡大側面面（ｂ）、ネックレスの端部を引っ張った状態の側面図（ｃ）、
【図４】同上の接合係止具の他の実施例の拡大平面図、
【図５】同上の接合係止具のさらに他の実施例の開いた状態の拡大平面図、
【図６】同上のさらに他の実施例の接合係止具の説明側面図（ａ）、（ｂ）、説明平面図（ｃ）。
【考案を実施するための形態】
【００１８】
本考案のチェーン状等のネックレスは、両端部を接合して環状に形成するネックレスの端部を挿脱可能に接合係止具に接続し、上記ネックレスの端部を接合係止具から取り外して装飾具の吊り下げ部を挿通して装飾具を吊り下げるように形成したことを特徴としている。
【００１９】
チェーン状等のネックレス１は、図１のように所定長さの細状や小径の装飾部品のチェーンやリンク材２等を環状に連結していて、その両端部に接合用のリング状の留め金具３、４を連結し、そのチェーンやリンク材２等に所要のペンダント等の装飾具５を吊り下げて、首まわりに装着できるようにしている。
【００２０】
この両端部を接合して環状に形成するネックレス１の一端部は、図１のように細棒状の接合係止具６の一側端部に接合し、この接合係止具６の他端部にリング状の留め金具４を取着してチェーン状やリンク材２の他端部のリング状の留め金具３に係脱可能に係止して環状のネックレス１を形成するようにしている。
【００２１】
接合係止具６は、図２（ａ）、（ｂ）のように細棒材の２枚を重ね合わせた接合体７、８をその中心部に旋回軸９、スプリング１０を介して軸着し、図上、上側の接合体７を下側の接合体８に対して図２（ｃ）のように中心軸まわりに旋回して開閉可能としている。そして、図２（ｂ）、（ｃ）のように下側の接合体８の一側部にリンク材２を挿着可能な細溝の係止溝１１を凹設し、この係止溝１１の先端に係止溝１１と連通状態としてリンク材２を挿通可能に貫通孔１２を開孔している。
【００２２】
そして、図２（ｂ）のように係止溝１１の先端面を球面状の一部の曲面状とし、リンク材２の端部に係止溝１１の幅より大きな口径の球状等の抜け止め材１３を取り付け、図３（ａ）〜（ｃ）のように接合係止具６の接合体７、８を閉じたときに、抜け止め材１３が係止溝１１の先端面に当接して係止するようにしている。
【００２３】
また、上記接合係止具６には、図２（ｂ）、（ｃ）、図３（ａ）のように下側の接合体８の係止溝１１と反対側に凹溝状の位置ずれ防止部１４を凹設し、上側の接合体７に突起状の位置ずれ防止突起１５を突設して位置ずれ防止部１４に嵌入出自在として接合係止具６を閉じたときに上下の接合体７，８が奇麗に一直線状に重なり合うようにしている。
【００２４】
図４は、リンク材２の他端部を上記した接合係止具６の他端部に接続して取着したもので、上記のようにリング状等の留め金具３、４を介さずにネックレス１を形成するようにしている。
【００２５】
また、図５のようにリンク材２の一端部にリング状の抜け止め材１３を接続し、接合係止具３の係止溝１１にこのリング状の抜け止め材１３を係止可能に凹設孔１６を凹設して係止するようにしている。
【００２６】
なお、ネックレス１は、細棒材のリンク材２や小径のチェーンに限ることなく、宝飾玉状を連鎖状としたものも可能であり、また端部を接合係止具６に脱着可能な手段について説明したが、その他にも本考案の趣旨にもとづく変形態様を採択できるものであり、さらに接合係止具６の形状は細棒状に限らずに円板状、楕円状、球状、円柱状、その他装飾的な形態とすることができる。さらに、接合係止具６の開閉手段については、上記のように中心軸なわりに旋回した手段の実施例を示したが、端部まわりでもよく、また図６（ａ）〜（ｃ）のように上下スライド式や斜め状や側方等への開閉式などの変形態様を採用することができる。
【実施例】
【００２７】
図１以下は、本考案の実施例である。ネックレス１は、図１のようにほぼ１ｍｍ角×５ｍｍ長さの細い装飾部品のリンク材２を環状に連結していて、その一端部に接合用のリング状の留め金具３を連結し、他端部を図２のように細棒状の接合係止具６の一側端部に接合し、この接合係止具６の他端部にはリング状の留め金具４を取着し、上記一端部の留め金具３に係脱可能に係止し、リンク材２にペンダントの装飾具５を吊り下げ可能としている。
【００２８】
接合係止具６は、図２（ａ）、（ｂ）のようにほぼ３ｍｍ幅×１５ｍｍ長さの細棒材を２枚を重ね合わせた接合体７、８をその中心部に旋回軸９、スプリング１０を介して軸着し、図上、上側の接合体７を下側の接合体８に対して図２（ｃ）のように中心軸側に旋回して開閉可能としている。そして、図２（ｂ）、（ｃ）のように下側の接合体８の一側側に細状のリンク材２を挿着可能な細溝の１．２ｍｍ幅の係止溝１１を凹設し、この係止溝１１の先端に係止溝１１と直通状態としてリンク材２を挿通可能に１．８ｍｍ径の貫通孔１２を開孔している。
【００２９】
そして、図１（ｂ）のように係止溝１１の先端面を球面状の一部の曲面状とし、リンク材２の端部に係止溝１１より大きな１．５ｍｍ径の球状の抜け止め材１３を取り付け、接合係止具６の接合体７を閉じたときに、抜け止め材１３が係止溝１１の先端面に当接して係止するようにしている。また、上記接合係止具６には、図２（ｂ）のように下側の接合体７の係止溝１１と反対側に凹溝状の位置ずれ防止部１４を凹設し、上側の接合体８に位置ずれ防止突起１５を突設して位置ずれ防止部１４に嵌入出自在とし、接合係止具６を閉じたときに上下の接合体７，８が奇麗に一直線状に重なり合うようにしている。
【００３０】
そのため、ネックレス１にペンダントの装飾具５を挿着するときには、図２（ｃ）のように接合係止具６を開いてその開閉面の係止溝１１からネックレス１の端部を取り外し、その端部からペンダントの装飾具５の吊り下げ部１７を挿通し、再びその端部を接合係止具６に挿着して図１のように身飾することができる。したがって、専門店に依頼することなく、誰でも自分で簡単に挿着して所要のペンダント等の装飾具を装着して身飾することができる。
【００３１】
特に、接合係止具６の開閉面の係止溝１１に連通して貫通孔１２を開孔しているため、図３（ａ）のように接合係止具６を開いて、図３（ｂ）のようにその開閉面の貫通孔１２にネックレス１の端部を吊り下げるようにして挿入し、端部を係止溝１１にそって挿入して接合係止具６を閉じ、図３（ｃ）のようにその端部を引っ張ると、抜け止め材１３が係止溝１１部に係止してネックレス１の端部を接合係止具６に簡単に接続できる。
【００３２】
また、接合係止具６を開閉しても、閉じたときには位置ずれ防止部１４、位置ずれ防止突起１５で接合係止具６の接合体７、８を一直線状に元通りに接合できて、奇麗に装飾できる。
【００３３】
このようにネックレス１を一端部の接合係止具６を開閉して所要のペンダント等の装飾具５を挿通して身飾することができ、また所要の装飾具５にも簡単に交換して身飾することができる。
【００３４】
図４は、本考案の他の実施例で、連接した細棒のリンク材２の他端部を上記した接合係止具６の他端部に接続して取着したものである。本考案の実施例では、このようにリング状等の留め金具３、４を介さずにネックレス１を形成することができる。
【００３５】
図５は、本考案のさらに他の実施例で、連接した細棒のリンク材２の一端部にリング状の抜け止め材１３を接続し、接合係止具３の係止溝１１にこのリング状の抜け止め材１３を係止可能に凹設孔１６を凹設して係止するようにしたものである。接合係止具３の係止溝１１の抜け止め材１３としては、このように適宜の形状のものを採用することができる。
【００３６】
また、接合係止具６の開閉手段については、上記のように中心軸まわりに旋回した手段の実施例の他に、端部まわりでもよく、また図６（ａ）のように上下スライド式や、図６（ｂ）、（ｃ）のように斜め状や側方等への開閉式などの変形態様を採用することができる。
【００３７】
またさらに、ネックレス１のリンク材２は、細棒やチェーンに限ることなく、宝飾玉状を連鎖状としたものも可能であり、リンク材２の端部の接合係止具３の脱着手段について、その他にも上記した本考案の趣旨にもとづく変形態様を採択できるものであり、さらに接合係止具６の形状は細棒状に限らずに円板状、楕円状、球状、円柱状、その他装飾的な形態とすることができる。
【産業上の利用可能性】
【００３８】
本考案は、装身分野におけるネックレスに利用することができる。
【符号の説明】
【００３９】
１…ネックレス        ２…リンク材      ３、４…留め金具      ５…装飾具
６…接合係止具    ７、８…接合体          １１…係止溝      １２…貫通孔
１３…抜け止め材      １４…位置決め部
【図１】
0003178524.tif 000003
【図２】
0003178524.tif 000004
【図３】
0003178524.tif 000005
【図４】
0003178524.tif 000006
【図５】
0003178524.tif 000007
【図６】
0003178524.tif 000008